(57)【要約】【課題】箱の組立方を変えるだけで寸法、形状の異なる各種瓶を収納し得るようにして、製作を簡易にできるようにした瓶用組立箱を提供する。【解決手段】瓶を収納する本体と、細長瓶Ｖ１の頭部を収納する本体上部に形成された細長瓶頭部収納部と、太短瓶Ｖ２の頭部を固定する太短瓶頭部固定部と、細長瓶Ｖ１の胴部を固定する細長瓶胴部固定部とを備え、本体の横方向の内寸は、太短瓶Ｖ２が収納された状態で胴部が横揺れすることなく収まる寸法とされ、縦方向の内寸は、細長瓶Ｖ１の頭部が細長瓶頭部収納部に収納された状態で収まる寸法とされている瓶用組立箱である。【選択図】図３
0003122416.tif 000002
【実用新案登録請求の範囲】
【請求項１】
組立方を変えることによって同容量の細長瓶および太短瓶を収容できるようにされてなる瓶用組立箱であって、
瓶を収納する本体と、細長瓶の頭部を格納固定する本体上部に形成された細長瓶頭部格納固定部と、太短瓶の頭部を固定する太短瓶頭部固定部と、細長瓶の胴部を固定する細長瓶胴部固定部とを備え、
前記本体の横方向の内寸は、太短瓶の胴部が横揺れすることなく収まる寸法とされ、同縦方向の内寸は、細長瓶の頭部が前記細長瓶頭部格納固定部に収納された状態で収まる寸法とされ、
細長瓶が収納される際には、前記太短瓶頭部固定部を形成する部材が、本体を構成している底面片の背面に隠され、
太短瓶が収納される際には、前記細長瓶胴部固定部を形成する部材が、中敷きとされてなる
ことを特徴する瓶用組立箱。
【請求項２】
本体を構成する本体構成部材と、細長瓶頭部格納固定部を構成する細長瓶頭部格納固定部構成部材と、太短瓶頭部固定部を構成する太短瓶頭部固定部構成部材と、細長瓶胴部固定部を構成する細長瓶胴部固定部構成部材とが一枚の原紙に含まれてなることを特徴とする請求項１記載の瓶用組立箱。
【請求項３】
細長瓶胴部固定部構成部材が細長瓶胴部固定片とされ、該細長瓶胴部固定片が山折りにされ細長瓶胴部に沿わせて本体内に配設されることにより、細長瓶胴部固定部が形成されてなることを特徴とする請求項２記載の瓶用組立箱。
【請求項４】
組立方を変えることによって同容量の細長瓶および太短瓶を収容できるようにされてなる瓶用組立箱であって、
瓶を収納する本体と、細長瓶の頭部を格納固定する本体上部に形成された細長瓶頭部格納固定部と、太短瓶の頭部を固定する太短瓶頭部固定部と、細長瓶の胴部を固定する細長瓶胴部固定部とを備え、
前記本体が中央仕切りを有する中敷き部材を備え、複数本の瓶が中央仕切りを介して同本体内に並列に収納可能とされ、
前記本体の縦方向の内寸は、細長瓶の頭部が前記細長瓶頭部格納固定部に収納された状態で収まる寸法とされてなる
ことを特徴とする瓶用組立箱。
【請求項５】
太短瓶頭部固定部を構成する太短瓶頭部固定部構成部材と、中敷き部材とが一枚の原紙に含まれてなることを特徴とする請求項４記載の瓶用組立箱。
【請求項６】
細長瓶頭部格納固定部構成部材が、細長瓶頭部が挿通される透孔または透孔が形成可能な透孔形成部を有してなることを特徴とする請求項２または５記載の瓶用組立箱。
【請求項７】
太短瓶頭部固定部が、太短瓶頭部固定部構成部材の構成片を折り曲げて本体上部に段状に形成されてなることを特徴とする請求項１または４記載の瓶用組立箱。
【請求項８】
接着剤を使用することなく組み立てがなされてなることを特徴とする請求項１ないし請求項７のいずれか一項に記載の瓶用組立箱。
【請求項９】
色彩、模様または文字が付されてなることを特徴とする請求項１ないし請求項７のいずれか一項に記載の瓶用組立箱。
【考案の詳細な説明】
【技術分野】
【０００１】
本考案は、瓶用組立箱に関する。さらに詳しくは、主に包装に用いるための瓶用組立箱に関する。
【背景技術】
【０００２】
従来より、清酒等の瓶の包装のために用いる紙箱は、箱本体、蓋、中仕切り枠および天パット等の各部材を組み合わせて構成するものとされ、製作に手間を要するとともに部材の在庫管理も煩雑なものとなっていた。このため、下記文献１、２に示すように、１枚の原紙に前記各部材を構成すべき各片を含ませ、所定配置の折目にて前記原紙を折曲することにより、前記各部材を備えた箱が形成されるようにした瓶用組立箱が提案されている。
【０００３】
ところが、前記提案に係る瓶用組立箱を用いた場合にも、寸法、形状の異なる各種瓶を収納するためには異なる原紙を製作せねばならず、瓶毎の製作ラインを構築する必要があるとともに、在庫管理も煩雑になるという問題がある。
【実用新案登録文献１】
【０００４】
実用新案登録第３０７５６００号公報
【実用新案登録文献２】
【０００５】
実用新案登録第３０７５６０１号公報
【考案の開示】
【考案が解決しようとする課題】
【０００６】
本考案はかかる従来技術の課題に鑑みなされたものであって、箱の組立方を変えるだけで寸法、形状の異なる各種瓶を収納し得るようにして、製作を簡易にできるようにした瓶用組立箱を提供することを目的としている。
【課題を解決するための手段】
【０００７】
本考案の瓶用組立箱の第１形態は、組立方を変えることによって同容量の細長瓶および太短瓶を収容できるようにされてなる瓶用組立箱であって、瓶を収納する本体と、細長瓶の頭部を格納固定する本体上部に形成された細長瓶頭部格納固定部と、太短瓶の頭部を固定する太短瓶頭部固定部と、細長瓶の胴部を固定する細長瓶胴部固定部とを備え、前記本体の横方向の内寸は、太短瓶の胴部が横揺れすることなく収まる寸法とされ、同縦方向の内寸は、細長瓶の頭部が前記細長瓶頭部格納固定部に収納された状態で収まる寸法とされ、細長瓶が収納される際には、前記太短瓶頭部固定部を形成する部材が、本体を構成している底面片の背面に隠され、太短瓶が収納される際には、前記細長瓶胴部固定部を形成する部材が、中敷きとされてなることを特徴する。
【０００８】
本考案の瓶用組立箱の第１形態においては、本体を構成する本体構成部材と、細長瓶頭部格納固定部を構成する細長瓶頭部格納固定部構成部材と、太短瓶頭部固定部を構成する太短瓶頭部固定部構成部材と、細長瓶胴部固定部を構成する細長瓶胴部固定部構成部材とが一枚の原紙に含まれるのが好ましい。
【０００９】
また、本考案の瓶用組立箱の第１形態においては、細長瓶胴部固定部構成部材が細長瓶胴部固定片とされ、該細長瓶胴部固定片が山折りにされて細長瓶胴部に沿わせて本体内に配設されることにより、細長瓶胴部固定部が形成されるのが好ましい。
【００１０】
本考案の瓶用組立箱の第２形態は、組立方を変えることによって同容量の細長瓶および太短瓶を収容できるようにされてなる瓶用組立箱であって、瓶を収納する本体と、細長瓶の頭部を格納固定する本体上部に形成された細長瓶頭部格納固定部と、太短瓶の頭部を固定する太短瓶頭部固定部と、細長瓶の胴部を固定する細長瓶胴部固定部とを備え、本体が中央仕切りを有する中敷き部材を備え、複数本の瓶が中央仕切りを介して同本体内に並列に収納可能とされ、前記本体の縦方向の内寸は、細長瓶の頭部が前記細長瓶頭部格納固定部に収納された状態で収まる寸法とされてなることを特徴とする。
【００１１】
本考案の瓶用組立箱の第２形態においては、短瓶頭部固定部を構成する太短瓶頭部固定部構成部材と、中敷き部材とが一枚の原紙に含まれるのが好ましい。
【００１２】
また、本考案の瓶用組立箱においては、細長瓶頭部格納固定部構成部材が、細長瓶頭部が挿通される透孔または透孔が形成可能な透孔形成部を有してなるのが好ましい。
【００１３】
さらに、本考案の瓶用組立箱においては、太短瓶頭部固定部が、太短瓶頭部固定部構成部材の構成片を折り曲げて本体上部に段状に形成されてなるのが好ましい。
【００１４】
さらに、本考案の瓶用組立箱においては、接着剤を使用することなく組み立てられているのが好ましい。
【００１５】
さらに、本考案の瓶用組立箱においては、色彩、模様または文字が付されてなるのが好ましい。
【考案の効果】
【００１６】
本考案の瓶用組立箱は、前記の如く構成されているので、箱の組立方を変えるだけで寸法、形状の異なる２種類の瓶を収納し得るので、製作ラインが簡素化されるとともに、在庫管理が単純化されるという優れた効果が得られる。
【００１７】
また、接着剤を使用することなく組立がなされる本考案の好ましい形態によれば、製作の一層の簡素化がなされ、それにより一層のコストダウンが図られるという優れた効果が得られる。
【考案を実施するための最良の形態】
【００１８】
以下、添付図面を参照しながら本考案を実施形態に基づいて説明するが、本考案はかかる実施形態のみに限定されるものではない。
【００１９】
実施形態１
図１に、本考案の実施形態１に係る瓶用組立箱の展開図を示す。この実施形態１に係る瓶用組立箱は、いわゆる化粧箱と称されるものとされる。
【００２０】
瓶用組立箱（以下、単に箱という）Ｕは、同一の原紙からの組立方を変えることによって、同容量（例えば、７２０ｍｌ）で胴部の径が細めかつ全長が長めの瓶（以下、細長瓶という）Ｖ１（図２参照）と、胴部の径が太めかつ全長が短めの瓶（以下、太短瓶という）Ｖ２（図３参照）との両方を内部で動揺させずに収納することができるよう構成されたものである。ここで、原紙は、例えば約１．５ｍｍ程度の板厚の上質厚紙、上質ボール紙、段ボール（より具体的には、Ｅ段段ボール）などとされる。また、瓶用組立箱には、図示はされていないが、色彩、模様、文字などが付されている。
【００２１】
すなわち、箱Ｕは、組立方を変えることによって同容量の細長瓶Ｖ１および太短瓶Ｖ２を収容できるようにされてなる瓶用組立箱Ｕであって、瓶を収納する本体と、細長瓶Ｖ１の頭部を格納固定する本体上部に形成された細長瓶頭部格納固定部と、太短瓶Ｖ２の頭部を固定する太短瓶頭部固定部と、細長瓶Ｖ１の胴部を固定する細長瓶胴部固定部とを備え、前記本体の横方向の内寸は、太短瓶Ｖ２が収納された状態で胴部が横揺れすることなく収まる寸法とされ、同縦方向の内寸は、細長瓶Ｖ１の頭部が前記細長瓶頭部収納部に収納された状態で縦揺れすることなく収まる寸法とされ、細長瓶Ｖ１が収納される際には、前記太短瓶頭部固定部を形成する部材が、本体を構成している底面片の背面に隠され、太短瓶Ｖ２が収納される際には、前記細長瓶胴部固定部を形成する部材が、中敷きとされてなるものとされる。
【００２２】
具体的には、箱Ｕは、図１に示すように、本体の背面に当たる背面片１の短辺側の両端（図の上下）に断面方形枠状（図４、図５参照）の上面部２、下面部３の外側片４、４、前面片５、５および内側折り返し片６１、６２を延設し、各片間に折曲自在な折目（以下、単に折目ということもある。）７、７、８、８、９、９を設け、さらに折目１０、１０を設けて、下面部３の内側折り返し片６２から先方片１１を、上面部２の内側折り返し片６１から太短瓶収納時（図３参照）に逆向きに折り返されて段状に形成される瓶頭台Ｗの上側（天側）の脚部を形成する上側台脚片１３をそれぞれ延設し、そして下面部３は、組立時に先方片１１を上面部２側に向けて折曲し、その折曲された先方片１１を背面片１に当接して（図４、図５参照）形成されるものである。
【００２３】
ここで、背面片１の幅は太短瓶Ｖ２を過不足なく収容し得るように設定されており（図３参照）、細長瓶Ｖ１を収容するときには（図２参照）胴部に若干の余裕が生じるものとされる。
【００２４】
さらに、図１に示すように、上側台脚片１３から瓶頭台片１４、瓶頭台Ｗ（図３参照）の下側（底側）の脚部を形成する下側台脚片１５および脚部先方片１６を折目１７、１８、１９を介して延設し、上面部２は、細長瓶Ｖ１収納時には、図４に示すように、上側台脚片１３、瓶頭台片１４、下側台脚片１５および脚部先方片１６の各片を折目１７、１８、１９にて折曲せずに背面片１に沿って伸ばしたまま背面片１に当接して形成するものとされる。これに対し、太短瓶Ｖ２収納時には、図５に示すように、上側台脚片１３を折目１０にて外側に折り返し、瓶頭台片１４および下側台脚片１５を折目１７、１８にて内側に折り曲げ、脚部先方片１６を折目１９にて外側に折り曲げて後掲の背面内方片（つまり底面片）２４に当接して、段状に瓶頭台Ｗを形成するものとされる。この場合、後述する瓶胴固定片３９は、下端が内側折り返し片６２に当接させられた中敷きとされ、その上端部が脚部先方片１６を押えるとともにその上端面が下側台脚片１５に当接し、瓶頭台Ｗの形状崩れを防止している。
【００２５】
なお、前記説明から、太短瓶頭部固定部構成部材は、上側台脚片１３と、瓶頭台片１４と、下側台脚片１５と、脚部先方片１６とを含むものであることが理解される。
【００２６】
一方、図１に示すように、背面片１の長辺側の片方（図の右側）に断面方形枠状の右側面部２０（図２、図３参照）の外側片２１、前面片２２、内側折返し片２３および背面内方片（底面片）２４を延設し、各片間に折曲自在な折目２５、２６、２７、２８を設けるとともに、別の片方（図の左側）には左側面外方片２９、前面蓋片３０および右側面部外覆片３１を折目３２、３３、３４を設けて延設してある。
【００２７】
なお、前記説明から本体構成部材は、背面片１、背面内方片（底面片）２４などを含むものであることが理解される。
【００２８】
内側折返し片２３の背面内方片２４との隣接部の両端部には、折り戻りを防止するための係止片２３ａ，２３ａが側方に突出させて設けられる一方、内側折り返し片６１、６２と、後述する折入れ片３５、３５との境界部には、係止片２３ａ，２３ａが係止されるスリット３５ａ，３５ａが所定長さで設けられるものとされる。
【００２９】
また、右側面部外覆片３１の側方中央には蓋止め片３１ａが折目３１ｂを介して設けられる一方、背面片１と右側面部２０の外側片２１との間には前記蓋止め片３１ａと係合する蓋止め係合片２１ａが設けられるものとされる。
【００３０】
より具体的には、蓋止め片３１ａには、折目３１ｂに沿って蓋止め片２１ａが差し込まれる長方形状窓３１ｃが設けられるとともに、蓋止め係合片２１ａを引き抜いて係合を解除するための半円形状の操作窓３１ｄが、長方形状窓３１ｃに隣接させて右側面部外覆片３１に設けられている。一方、蓋止め係合片２１ａが設けられている箇所には、蓋止め係合片２１ａを折曲自在とする折曲自在な折目２１ｂが背面片１に設けられるとともに、蓋止め片３１ａが係合する係合窓２１ｃが外側片２１に蓋止め係合片２１ａを挟むようにして設けられている。なお、符号２１ｄは蓋止め係合片２１ａを長方形状窓３１ｃに差し込む際の折曲自在な折目を示す。
【００３１】
また、上面部２および下面部３の折返し片６１、６２の右側には右側面部２０内部に折り入れられる折入れ片３５、３５が折目３６を介して延設され、左側には左側面内側仕切りの半分を形成する左側面内方片３７１、３７２が折目３８、３８を介して延設され、さらに上側の左側面内方片３７１の上方に上側台脚片１３および瓶頭台片１４と所定の間隙Ｌを空けて細長瓶用の瓶胴固定片３９が折目４０を介して付設されている。さらに、各左側面内方片３７１、３７２の先端部には嵌合い切欠き部３７ａ、３７ａが設けられており、各嵌合い切欠き部３７ａ、３７ａを互いに嵌め合わせることによって左側面内側仕切りが形成される。
【００３２】
また、瓶胴固定片３９は、細長瓶収納時（図２、図４参照）には幅方向中央の折目３９ａにて二つ折りにされて、各左側面内方片３７１、３７２と細長瓶Ｖ１胴部との間に介装される一方、太短瓶Ｖ２収納時には、前述したように、中敷きとされて上端部が脚部先方片１６を押さえるように配設されるものとされる（図５参照）。
【００３３】
なお、前記説明から細長瓶胴部固定部構成部材は、瓶胴固定片３９であることが理解される。
【００３４】
ここで、前記間隙Ｌは、瓶頭台片１４の上下方向の幅と対応する寸法に設定されて、瓶頭台Ｗの立設に支障のないようにされている（図５参照）。
【００３５】
また、上面部２および下面部３の外側片４、４と右側面部２０の外側片２１および左側面外方片２９との間の四隅部分に略方形（扇状でもよい）の連結片４１、４１、４１、４１を有し、折曲可能な折目４２、４２、…と共に対角線部分に内方へ向けた折目４３、４３、４３、４３が設けられている。
【００３６】
また、上側の内側折返し片６１に細長瓶用の瓶頭挿通部４４が形成され、瓶頭台片１４に太短瓶用の瓶頭嵌合固定部４５が形成され、下側台脚片１５に太短瓶用の瓶頭嵌合切欠４６が形成されている。
【００３７】
瓶頭挿通部４４は、上面部２の両側端から中央位置で少し下方寄りに設けられ、その形状は両開き扉状の切り込みで瓶頭頂部が嵌挿されるように形成されているが、切り込みに換えて切断用ミシン目を刻設することもできる。つまり、瓶頭挿通部４４は透孔が形成可能な透孔形成部とされている。なお、透孔形成部に代えて予め透孔を穿設しておいてもよい。
【００３８】
瓶頭嵌合固定部４５は、上面部２の両側端から中央位置で瓶頭台片１４を上下方向に縦断するように設けられ、その形状は両開き扉状の切り込みで瓶頭側部が嵌合固定されるように形成されているが、切り込みに換えて切断用ミシン目を刻設することもでき、また単に透孔を穿設してもよい。
【００３９】
瓶頭嵌合切欠４６は、上面部２の両側端から中央位置で瓶頭嵌合固定部４４から延設されており、その形状は前方が幅広の台形に形成されている。
【００４０】
以下、かかる構成とされた箱Ｕの組立方を説明する。
【００４１】
図２に細長瓶Ｖ１が箱Ｕに収納された状態を示し、図３に太短瓶Ｖ２が箱Ｕに収納された状態を示し、図４に図２相当の縦断面図を示し、図５に図３相当の縦断面図を示す。
【００４２】
細長瓶Ｖ１の収納時には、図２および図４に示すように、上側台脚片１３、瓶頭台片１４、下側台脚片１５および脚部先方片１６を背面片１に沿わせて伸ばし、これら各片の上に背面内方片（底面片）２４を被せるようにして、箱Ｕを組み立てるものとされる。
【００４３】
このとき、瓶胴固定片３９は折目３９ａにて山折りにし、細長瓶Ｖ１の胴部に側方から添えるようにする。これにより、細長瓶Ｖ１は、瓶頭が瓶頭挿通部４４に挿通されて固定され、胴部の本体との隙間が瓶胴固定片３９により解消されて、細長瓶Ｖ１の箱Ｕ内部での動揺が阻止される。
【００４４】
一方、太短瓶Ｖ２の収納時には、図３および図５に示すように、各折目１２、１７、１８、１９にて上側台脚片１３、瓶頭台片１４および下側台脚片１５をステップ状に折曲して瓶頭台Ｗを段状に形成し、脚部先方片１６を瓶胴固定片３９の上端部により背面内方片２４に押圧固定される。
【００４５】
このとき、瓶胴固定片３９は二つ折りにせずに伸ばしたまま背面内方片２４および脚部先方片１６を覆うように上端部を脚部先方片１６に配設するものとされる。
【００４６】
これにより、太短瓶Ｖ２の瓶頭は瓶頭嵌合固定部４５および瓶頭嵌合切欠き４６と嵌合して固定され、太めの胴部は右側面部２０と左側面内方片３７１、３７２および左側面外方片２９とに挟まれて固定される。
【００４７】
このように、実施形態１においては、同一の原紙からの箱Ｕの組立方を変えるだけで細長瓶Ｖ１と太短瓶Ｖ２のいずれをも動揺させずに収納することができるように、１枚の原紙に、細長瓶Ｖ１の瓶頭を固定するための瓶頭挿通部４４と、太短瓶Ｖ２の瓶頭を固定するための瓶頭嵌合固定部４５および瓶頭嵌合切欠４６と、細長瓶Ｖ１の収容時にその細めの胴部を側方から押えて固定する瓶胴固定片３９とを前記配置にて含ませているので、少ない部材点数で寸法、形状の異なる２種類の瓶を収容する瓶用組立箱Ｕを接着剤を使用することなく製作することが可能となる。したがって、製作ラインが簡素化されて製作が容易になるとともに在庫管理が簡易なものとなり、製作コストおよび管理コストの低減が図られる。
【００４８】
実施形態２
本考案の実施形態２に係る箱Ｕ１を図６および図７に示す。本考案の実施形態２は、実施形態１を改変してなるものであって、板厚が約３ｍｍ程度の厚手の段ボール例えばＢ段段ボールを用いて板厚を厚くして輸送箱としてなるものとされる。なお、この輸送箱は化粧箱に兼用されてもよい。
【００４９】
すなわち、実施形態２の箱Ｕ１においては、主要部材である背面片１Ａ等は、実施形態１の背面片１等と同様とされているので、図面符号にＡを付記してその図示説明は省略する。
【００５０】
ただし、実施形態２においては、右側面部外覆片３１の蓋止め片３１ａが設けられている箇所の構成、および蓋止め片２１ａが設けられている箇所の構成が変更されている。すなわち、実施形態２においては、右側面部外覆片３１には長方形状窓および操作窓は設けられておらず、また係止部２１Ａａには蓋止め片２１ａは設けられておらず、その代わりに蓋止め片３１Ａａが差し込まれる長方形状窓２１Ａｃ、および蓋止め片３１Ａａを操作する操作窓２１Ａｅが設けられている。
【００５１】
以下、図６を参照して、実施形態２における改変の要部について説明する。
【００５２】
上面部２Ａの外側片４Ａの左方に、連結片４１（図１参照）に代えて、上面部２Ａの左側面を形成すべき上面部左側面片５９が設けられ、下面部３Ａの外側片４Ａの左方に断面方形枠状の左側面部５０の外側片５３と、上面部２Ａに側方から差し込まれる上面部側方差込み片５４とが折目５５、５６を介して延設され、上面部２Ａの折返し片６１Ａの左方に、左側面内方片３７１（図１参照）に代えて、左側面部５０（図７参照）内に折り入れられる左側面部折入れ片５１が折目５２を介して設けられている。
【００５３】
また、左側面部５０の外側片５３の下方には左側面部５０の前面片５７および内側折返し片５８が折目５９、６０を介して延設され、左側面部折入片５１の上方には上側台脚片１３Ａおよび瓶頭台脚片１４Ａと所定の間隙Ｌ１を空けて折目６１を介して瓶胴固定片３９Ａが延設され、側面部５０は、上面部側方差込み片５４を上面部左側面片５９の先方片５９ａに配設して形成するものとされている。
【００５４】
ここで、瓶頭挿通部４４Ａは円形の透孔とされているが、円状にミシン目を設けて細長瓶Ｖ１収納時にのみミシン目を切断して、透孔を形成するようにしてもよい。つまり、透孔形成部とされてもよい。
【００５５】
また、瓶頭嵌合固定部４５Ａは、瓶頭頂と上側台脚片１３Ａとの間に折り入れられる半円形の折入れ片４５ａが設けられるものとされる。
【００５６】
図７に、箱Ｕ１に太短瓶Ｖ２を収納した状態を示す。図７に示すように、太短瓶収納時には、上側台脚片１３Ａ、瓶頭台片１４Ａおよび下側台脚片１５Ａから瓶頭台Ｗ１が形成されており、瓶頭挿通部４４Ａは上側台脚片１３Ａにより隠されている。また、瓶頭頂は折入れ片４５ａに当接している。なお、細長瓶Ｖ１の収納状態は実施形態１と同様とされる。
【００５７】
このように、実施形態２においては、箱Ｕ１に断面方形枠状の左側面部５０が設けられているために、箱Ｕ１を輸送に適するより堅牢な構造とすることができ、箱Ｕ１内部に収納される瓶の安全性、とりわけ輸送中における安全性を向上させることができる。
【００５８】
実施形態３
本考案の実施形態３に係る箱Ｕ２を図８に示す。本考案の実施形態３は、主要部材である背面片１Ｂ等は、実施形態２の背面片１Ａ等と同様とされているので、付記符号をＢに変えてその図示説明は省略する。ただし、右側面部外覆片３１の蓋止め片３１ａが設けられている箇所の構成、および蓋止め片２１ａが設けられている箇所の構成は、実施形態１と同様とされている。また、実施形態３における板厚は実施形態１と同様とされている。つまり、箱Ｕ２は化粧箱とされている。
【００５９】
以下、図８を参照して、実施形態３の改変の要部を説明する。
【００６０】
箱Ｕ２においては、瓶頭嵌合固定部４５Ｂの折入れ片４５ｂが方形とされている。これにより、加工の容易な直線の切れ込みのみにより折入れ片４５ｂを形成することができる。したがって、箱Ｕ２の製作をさらに容易にすることができる。
【００６１】
実施形態４
本考案の実施形態４に係る箱Ｕ３を図９〜１３に示す。実施形態４は、実施形態１を改変してなるものであり、本体を形状、寸法の異なる各種瓶を複数本（図示例では２本）ずつ収納し得るよう実施形態１を改変してなるものとされる。なお、実施形態４のその余の構成は実施形態２と同様とされる。また、実施形態４における本体の板厚は実施形態１と同様とされている。つまり、箱Ｕ３は化粧箱とされている。
【００６２】
すなわち、実施形態４の箱Ｕ３においては、主要部材である背面片１Ｃ等は、幅が広くされている他は、つまり背面片１Ｃ、上・下面部２Ｃ、３Ｃの外側片４Ｃ、４Ｃ、前面片５Ｃ、５Ｃ、内側折返し片６１Ｃ、６２Ｃおよび前面蓋片３０Ｃの幅が、２本の太短瓶Ｖ２を過不足なく収納し得る寸法に設定されている他は、実施形態１の背面片１等と同様とされているので、図面符号にＣを付記してその図示説明は省略する。
【００６３】
また、右側面部２０Ｃの内側折返し片２３Ｃの右方中央に、背面内側片２４（図１参照）に代えて、蓋止め片３１Ｃａの差し込みをガイドするガイド片７０が折目７１を介して延設され、上面部２Ｃの内側折返し片６２Ｃ上方の各片、および左側面内方片３７１上方の瓶胴固定片３９（図１参照）は削除され、右側面部２０Ｃは、ガイド片７０を背面片１Ｃに平行に折り曲げ形成されている。
【００６４】
ここで、図１０に示すように、箱Ｕ３においては、中敷きＹおよび瓶頭台Ｗ３を構成する各片を含む中敷き部材７２が別紙にて形成されている。すなわち、中敷き部材７２は、太短瓶Ｖ２の１本分の幅の第１中敷き片７３を有し、その短辺側の片方（天側）に瓶２本分の瓶頭台Ｗ３の下側台脚片７４、瓶頭台片７５および上側台脚片７６が折目７３ａ、７７、７８を介して延設されている。
【００６５】
また、第１中敷き片７３の長辺側の片方（図の右方）には、右側瓶胴当接片７９および折返し片８０が折目８１、８２を介して延設されるとともに、別の片方（図の左方）には、中央仕切りを構成する中央仕切り片８３、８４、第２中敷き片８５、左側瓶胴当接片８６および折返し片８７が折目８８、８９、９０、９１、９２を介して延設されている。右側瓶胴当接片７９および折返し片８０ならびに左側瓶胴当接片８６および折返し片８７の長さは、本体の縦方向の内寸と同一とされて本体内で中敷き部材７２が縦ずれしないようにされている。
【００６６】
瓶頭台片７５には２本分の瓶頭嵌合固定部９３、９３が設けられ、上側および下側台脚片７４、７６には、瓶頭嵌合切欠９４、９４が瓶頭嵌合固定部９３、９３から延設されている。
【００６７】
さらにまた、図１１に示すように、細長瓶収納時に各細長瓶Ｖ１、Ｖ１の間に介装されて（図１２参照）、各瓶が動揺しないように押えるための瓶胴押え部材１００が別紙により形成されるものとされる。瓶胴押え部材１００は、前面片１０１を有し、前面片１０１の長辺側の左右に瓶胴当接片１０２、１０２が、折目１０３、１０３を介して設けられるものとされる。
【００６８】
図１２に、箱Ｕ３に細長瓶Ｖ１を２本収納した状態を示す。図１３に箱Ｕ３に太短瓶Ｖ２を２本収納した状態を示す。
【００６９】
図１２に示すように、細長瓶収納時には、瓶頭は瓶頭嵌合固定部９３、９３および瓶頭嵌合切欠９４、９４、・・・に嵌合されかつ瓶頭挿通部４４１Ｃ、４４２Ｃに挿通されて固定されるとともに、瓶胴は、図には明示されていないが山形にされた中央仕切り片８３、８４に被せるように瓶胴押え部１００を各瓶Ｖ１、Ｖ１の間に介装して固定されており、これにより各瓶Ｖ１、Ｖ１の動揺が阻止される。
【００７０】
図１３に示すように、太短瓶Ｖ２収納時には、瓶頭は瓶頭嵌合固定部９３、９３および下側台脚片７６の瓶頭嵌合切欠９４、９４に嵌合されて固定される一方、瓶胴は山形にされた中央仕切り片８３、８４のみを各瓶Ｖ２、Ｖ２瓶の間に介装して固定されている。
【００７１】
このように、実施形態４においては、中敷き部材７２および瓶胴押え部材１００を別紙から形成するものとすることにより、組立方を変えるだけで寸法、形状の異なる各種瓶を複数本収納することができるように箱Ｕ３を構成することが可能となる。これにより、寸法、形状の異なる各種瓶を複数本収納する組立箱を製作する場合の製作ラインを簡素化することができるとともに、部材点数を削減して在庫管理を容易にすることができる。
【産業上の利用可能性】
【００７２】
本考案は、清酒等の瓶の包装に用いる瓶用組立箱に適用することができる。
【図面の簡単な説明】
【００７３】
【図１】本考案の実施形態１に係る瓶用組立箱の展開図である。
【図２】図１の箱に細長瓶を収納したときの斜視図である。
【図３】図１の箱に太短瓶を収納したときの斜視図である。
【図４】図２相当の縦断面図である。
【図５】図３相当の縦断面図である。
【図６】本考案の実施形態２に係る瓶用組立箱の展開図である。
【図７】図６の箱に太短瓶を収納したときの斜視図である。
【図８】本考案の実施形態３に係る瓶用組立箱の展開図である。
【図９】本考案の実施形態４に係る瓶用組立箱の本体の展開図である。
【図１０】図９の箱の中敷き部材の展開図である。
【図１１】図９の箱の細長瓶用の中仕切り部材の展開図である。
【図１２】図９の箱に複数の細長瓶を収納したときの斜視図である。
【図１３】図９の箱に複数の太短瓶を収納したときの斜視図である。
【符号の説明】
【００７４】
Ｕ    瓶用組立箱
Ｖ１    細長瓶
Ｖ２    太短瓶
Ｗ    瓶頭台
１    背面片
２    上面部
３    下面部
２０    右側面部
４４    瓶頭挿通部
４５    瓶頭嵌合固定部
４６    瓶頭嵌合切欠
【図１】
0003122416.tif 000003
【図２】
0003122416.tif 000004
【図３】
0003122416.tif 000005
【図４】
0003122416.tif 000006
【図５】
0003122416.tif 000007
【図６】
0003122416.tif 000008
【図７】
0003122416.tif 000009
【図８】
0003122416.tif 000010
【図９】
0003122416.tif 000011
【図１０】
0003122416.tif 000012
【図１１】
0003122416.tif 000013
【図１２】
0003122416.tif 000014
【図１３】
0003122416.tif 000015